(57)【要約】【課題】電界効率が良好な電界式ガス発生装置を提供する。【解決手段】第１のガスを生成する上側の第１電極板２と、第２のガスを生成する下側の第２電極板３と、第１電極板２と第２電極板３との間に電圧を印加する電圧印加手段と、を備え、第１電極板２は回転可能な回転電極であり、第１電極板２全体および第２電極板３の少なくとも上面は被処理水に接触するように構成されており、第１電極２を回転させた状態で電圧を印加することで、第１電極板２が第１のガスを生成しながら回転して被処理水中に第１のガスを供給する。【選択図】図１
2015157281.tif 000002
【特許請求の範囲】
【請求項１】
第１のガスを生成する第１電極板と、
第２のガスを生成する第２電極板と、
前記第１電極板と前記第２電極板との間に電圧を印加する電圧印加手段と、
を備え、
前記第１電極板は回転可能な回転電極であり、前記第１電極板および前記第２電極板は被処理水に接触するように構成されており、
前記第１電極を回転させた状態で前記第１電極板と前記第２電極板との間に電圧を印加することで、前記第１電極板が第１のガスを生成しながら回転して前記被処理水中に第１のガスを供給する、
電界式ガス発生装置。
【請求項２】
前記第１電極板は垂直状に延びる回転軸に固定されており、
前記第２電極板には前記回転軸を回転自在に挿通させる挿通部を備えており、
前記回転軸は回転駆動手段に接続されている、
請求項１に記載の電界式ガス発生装置。
【請求項３】
前記回転軸は通電性であり、前記第１電極板には当該回転軸を介して電流が供給されるようになっている、請求項２に記載の電界式ガス発生装置。
【請求項４】
前記第１電極板と前記第２電極板との間には気体封止通電性フィルムが設けてある、請求項１〜３いずれか１項に記載の電界式ガス発生装置。
【請求項５】
前記第２電極板は前記第１電極板の下側に位置し、前記第２電極板の下側に止水通気性要素が設けある、請求項１〜４いずれか１項に記載の電界式ガス発生装置。
【請求項６】
前記止水通気性要素の下方には多孔性底部が設けてあり、当該第２電極板で生成された第２のガスは多孔性底部を通して排出される、請求項５に記載の電界式ガス発生装置。
【請求項７】
前記回転軸の一端側には前記回転駆動手段が接続されており、前記回転体の他端側は被処理水中に位置するようになっており、ガス拡散用ファンが設けてある、請求項１〜３いずれか１項に記載の電界式ガス発生装置。
【請求項８】
前記第１電極板及び前記第２電極板は共に被処理水中に配置されるようになっており、第１のガス及び第２のガスが処理水中に供給される、請求項１〜３、７いずれか１項に記載の電界式ガス発生装置。
【請求項９】
前記第１電極板及び前記第２電極板、ガス拡散用ファン（請求項７を従属するものに限る）は、多孔性のケースに覆われている、請求項８に記載の電界式ガス発生装置。
【請求項１０】
前記回転軸には、複数枚の第１電極板が固定されており、複数枚の第２電極板が共通の支持部材に支持されている、請求項８（請求項２の従属項に限る）に記載の電界式ガス発生装置。
【請求項１１】
前記電圧印加手段は、第１電極と第２電極の極性切換手段を備えている、請求項１〜１０いずれか１項に記載の電界式ガス発生装置。
【請求項１２】
前記第１電極板及び前記第２電極板は多孔板である、請求項１〜１１いずれか１項に記載の電界式ガス発生装置。
【請求項１３】
前記第１電極板と前記第２電極板は離間対向しており、
前記第１電極板には、複数の第１孔が形成されており、前記第２電極板には、複数の第２孔が形成されており、
前記第１孔と前記第２孔は、対向時に完全に一致しないような位置に形成されている、請求項１２に記載の電界式ガス発生装置。
【請求項１４】
前記第１電極板と前記第２電極板は、中心を一致させて対向させた円板であり、
前記中心から前記第１孔までの距離と前記中心から前記第２孔までの距離を異ならしめてある、請求項１３に記載の電界式ガス発生装置。
【請求項１５】
前記第１電極板と前記第２電極板は離間対向しており、
前記第１電極板と前記第２電極板との間隔は可変である、請求項１〜１５いずれか１項に記載の電界式ガス発生装置。
【発明の詳細な説明】
【技術分野】
【０００１】
本発明は、電界式ガス発生装置に関するものである。後述する実施形態では、水素ガス発生装置、及び、水素・酸素発生装置を例示する。
【背景技術】
【０００２】
水素ガスを含む水である水素水には抗酸化作用があると言われており、近年その効用が着目されている。水素水は、例えば水道水を電気分解することで得られることができるため、飲用水として水素水を生成するアイデアが多く提案されている（例えば、特許文献１参照）。また、動植物の活性化物質として水素水を広く用いるという着眼もある（特許文献２参照）。また、水を電気分解することで得られるもう一方のガス、すなわち、酸素ないしオゾンを活用したい場面もある。
【０００３】
被処理水を電気分解してガスを生成させる場合、発生したガスが陽極と陰極からなる電極対の間に滞留すると、電気分解の効率が低下する。また、繰り返し使用により電極に付着物が堆積すると、電気分解の効率が低下する。さらに、効率良く高濃度のガス溶存水を生成するために、生成したガスを効率良く溶解させたいと言う要望もある。
【特許文献１】特開２０１２−２１７８６８
【特許文献２】特開２０１３−１８９３７８
【発明の開示】
【発明が解決しようとする課題】
【０００４】
本発明は、簡単な構成で上記課題を解決できる電界式ガス発生装置を提供することを目的とするものである。
【課題を解決するための手段】
【０００５】
本発明が採用した技術手段は、
第１のガスを生成する第１電極板と、
第２のガスを生成する第２電極板と、
前記第１電極板と前記第２電極板との間に電圧を印加する電圧印加手段と、
を備え、
前記第１電極板は回転可能な回転電極であり、前記第１電極板および前記第２電極板は被処理水に接触するように構成されており、
前記第１電極を回転させた状態で前記第１電極板と前記第２電極板との間に電圧を印加することで、前記第１電極板が第１のガスを生成しながら回転して前記被処理水中に第１のガスを供給する、
電界式ガス発生装置、である。
１つの態様では、第１のガスは水素であり、第２のガスは酸素、ないし、オゾンである。
１つの態様では、第１電極板が上側に位置し、第２電極板が下側に位置する。
１つの態様では、前記第１電極板全体が被処理水に接触する。
１つの態様では、前記第２電極板の少なくとも部分（例えば、上面）が被処理水に接触する。
【０００６】
１つの態様では、前記第１電極板は垂直状に延びる回転軸に固定されており、
前記第２電極板には前記回転軸を回転自在に挿通させる挿通部を備えており、
前記回転軸は回転駆動手段に接続されている。
【０００７】
１つの態様では、前記回転軸は通電性であり、前記第１電極板には当該回転軸を介して電流が供給されるようになっている。
【０００８】
１つの態様では、前記第１電極板と前記第２電極板との間には気体封止通電性フィルムが設けてある。
この態様では、前記第２電極板で生成された第２のガスが気体封止通電性フィルムを越えて上方に移動することが防止される。
【０００９】
１つの態様では、前記第２電極板は前記第１電極板の下側に位置し、前記第２電極板の下側に止水通気性要素が設けある。
この態様では、前記第２電極板で生成された第２のガスは止水通気性要素を通って下方に排出される。
１つの態様では、前記止水通気性要素の下方には多孔性底部が設けてあり、当該第２電極板で生成された第２のガスは多孔性底部を通して排出される。
あるいは、底部を孔無しに形成し、当該底部と前記止水兼通気性要素との間に排出路を形成してもよい。
【００１０】
１つの態様では、前記第１電極板及び前記第２電極板は共に被処理水中に配置されるようになっており、第１のガス及び第２のガスが処理水中に供給される。
１つの態様では、前記第１電極板及び前記第２電極板は、多孔性のケースに覆われている。
【００１１】
１つの態様では、前記回転軸の一端側には前記回転駆動手段が接続されており、前記回転体の他端側は被処理水中に位置するようになっており、ガス拡散用ファンが設けてある。１つの態様では、前記回転軸の上端側は、前記第１電極板を越えて上方に延びており、ガス拡散用ファンが設けてあり、前記第１電極板及び前記第２電極板、ガス拡散用ファンは、多孔性のケースに覆われている。
【００１２】
１つの態様では、前記回転軸には、複数枚の第１電極板が固定されており、複数枚の第２電極板が共通の支持部材に支持されている。１つの態様では、前記回転軸及び前記支持部材は共に導電性であり、前記第１電極板には前記回転軸を介して電流が供給され、前記第２電極板には前記支持部材を介して電流が供給される。
【００１３】
１つの態様では、前記電圧印加手段は、第１電極と第２電極の極性切換手段を備えている。
第１電極と第２電極の極性を切り換えることで、各電極から選択的に、水素、酸素ないしオゾンを生成させることができる。
また、第１電極と第２電極の極性を適宜切り換えて電流を流すことで、特定の物質が電極に付着することを可及的に防止することができる。
１つの態様では、前記第１電極板は円板である。
１つの態様では、前記第１電極板は多孔板である。
１つの態様では、前記第１電極板及び前記第２電極板は多孔板である。
１つの態様では、前記第１電極板と前記第２電極板は離間対向しており、
前記第１電極板には、複数の第１孔が形成されており、前記第２電極板には、複数の第２孔が形成されており、
前記第１孔と前記第２孔は、対向時に完全に一致しないような位置に形成されている。
１つの態様では、前記第１電極板と前記第２電極板は、中心を一致させて対向させた円板であり、
前記中心から前記第１孔までの距離と前記中心から前記第２孔までの距離を異ならしめてある。
１つの態様では、前記第１電極板の表面に１つあるいは複数の突起を形成してもよい。
１つの態様では、前記第２電極板は固定電極である。もっとも、本発明は、前記第２電極板を回転電極から構成することを排除しない。
１つの態様では、前記第１電極板と前記第２電極板は離間対向しており、前記第１電極板と前記第２電極板との間隔は可変である。
【発明の効果】
【００１４】
本発明では、被処理水を電気分解する電極ユニットの少なくとも一方の電極を回転電極としたので、回電電極が回転しながらガスを生成するため、電極間の被処理水が拡散され、電極間に生成されたガスが滞留し難い。したがって、電極間に生成したガスが滞留して電界効率を低下させることを防止することができる。
回転電極あるいは対向する両電極を多孔板から形成することで、生成されたガスを拡散させることにより電極間のガス溜まりをさらに無くすことができる。
また、回転電極については、電極が動いているので、当該電極に付着物が付き難く、当該電極をより清浄に保つことができ、電極の汚れに起因する電界効率の低下を可及的に防止する。
【００１５】
回転電極は回転しながらガスを生成するので、生成したガスを被処理水と混合する作用を有し、生成したガスの被処理水への溶解を促進することができ、もって、より短時間でより高濃度の溶存ガス被処理水が得られる。
【図面の簡単な説明】
【００１６】
【図１】本発明に係る第１実施形態を示す図である。
【図２】本発明に係る第２実施形態を示す図である。
【図３】本発明に係る第３実施形態を示す図である。
【図４】第１電極板の平面図である。
【図５】第２電極板の平面図である。
【発明を実施するための形態】
【００１７】
［Ａ］第１実施形態
図１を参照しつつ、本発明の第１実施形態について説明する。第１の実施形態は、水素発生装置に係るものであり、本実施形態に係る水素発生装置は、家庭用、工業用を問わず用いることができる。
【００１８】
水素発生装置は、被処理水の収容部１と、収容部１の底部に設けた電極ユニットと、を備えている。収容部１としてはポット（例えば、家庭用）や水槽（例えば、工業用）が例示される。被処理水は例えば水道水である。
【００１９】
電極ユニットは、上側の第１電極板（回転電極）２と、下側の第２電極板（固定電極）３と、対向する第１電極板２と第２電極板３との間に電圧を印加する電圧印加手段と、を備えている。電圧印加手段は各電極へ通電する電源４と、第１電極用通電ライン及び第２電極用通電ラインと、を備えている。本実施形態では、電圧印加手段は、さらに、第１電極と第２電極の極性切換手段を備えている。電源４は後述するモータ６の駆動電源を兼用してもよい。
【００２０】
第１電極板２、第２電極板３は、共に、略同じ面積を備えた多孔性の円板である。多孔円板の態様を図４、図５に例示する。図４に示すように、第１電極板２には、複数の孔２０が形成されている。より具体的には、中心から等角度で放射状に８つの孔列２００が形成されており、孔列２００を形成する各孔２０は径方向に等間隔で形成されている。図５に示すように、第２電極板３には、複数の孔３０が形成されている。より具体的には、中心から等角度で放射状に８つの孔列３００が形成されており、孔列３００を形成する各孔３０は径方向に等間隔で形成されている。孔列２００を形成する孔２０間の間隔と、孔列３００を形成する孔３０間の間隔と、は同じである。第１電極板２の中心と第２電極板３の中心は上下に一致している。第１電極板２の中心から各孔列２００の最も中心寄りの孔２０までの距離と、第２電極板３の中心から各孔列３００の最も中心寄りの孔３０までの距離と、は異ならしめてあり、第１電極板２の孔２０と第２電極板３の孔３０は上下には完全には一致しないようになっている。第２電極板３に対して第１電極板２が回転する時には、平面視において、第１電極板２の孔２０の同心円状の軌跡の径方向に隣位の同心円間に第２電極板３の孔３０が位置するようになっている。図示の態様では、第１電極板２の孔２０と第２電極板３の孔３０は上下に僅かにオーバーラップしているが、上下に完全に一致しないようにしてもよい。孔列２００、３００の本数や、孔列２００、３００を形成する孔２０、３０の数は図示のものに限定されない。本発明に係る第１電極板２、第２電極板３の形状や構成は、このものに限定されない。例えば、第１電極板２の表面に１つあるいは複数の突起、隆起部、ひだ等、を形成してもよい。第１電極板２、第２電極板３は所定の導電性を備えていれば材質は限定されないが、例えば、金属材料としてはチタン、プラチナ、酸化イリジウムが例示される。
【００２１】
第１電極板２は垂直状に延びる回転軸５の上端に固定されている。例えば、多孔性円板の中央の下面に筒状部を一体形成し、回転軸５の上端を筒状部に挿入して螺子等で固定する。第２電極板３には回転軸５を回転自在に挿通させる挿通部を備えており、回転軸５は第２電極板３の挿通部を挿通して下方に延びており、下端にはモータ６が接続されている。第１電極板２はモータ６によって回転可能となっている。モータ６の駆動電源は、電源４を用いても、あるいは他の電源を用いてもよい。
【００２２】
回転軸５は導電性部材（例えば、導電性の金属）からなり、電源４からの第１電極用通電ラインの先端に形成したカーボンスプリング（図示せず）を回転軸５の周面に接触させることで回転する回転軸５に対して常時接触を維持するように構成し、回転軸５を介して第１電極板２に通電するようになっている。
【００２３】
第１電極板２の下面と第２電極板３の上面との間には気体封止通電性フィルム７が設けてある。第１電極板２と第２電極板３との間に気体封止通電性フィルム７を設けることで、第１電極板２と第２電極板３間でのイオンのやり取りを妨げることなく、第２電極板３側で生成された気体が第１電極板２側に移動することを防止する。気体封止通電性フィルム７としては、伝導性高分子膜であるＮａｆｉｏｎ（登録商標）を例示することができる。気体封止通電性フィルム７は、第１電極板２及び第２電極板３より大きい面積を備えており、第１電極板２の下面全体を下方から覆い、第２電極板３の上面全体を上方から覆うようになっている。
【００２４】
なお、本実施形態で用いたＮａｆｉｏｎ（登録商標）は吸水によって反り返る性質があるため、第１電極板２の下面と気体封止通電性フィルム７との間に樹脂製の多孔性押さえ板８を配置してある。
【００２５】
気体封止通電性フィル７ム、樹脂製押さえ板８の中央部位には、回転軸５を回転自在に挿通させる挿通部が形成されている。これらの挿通部と回転軸５の周面とのクリアランスは比較的大きく取ってあり、被処理水が第２電極板３の少なくとも上面に十分に行きわたるようになっている。
【００２６】
第２電極板３の下側には、第２電極板３の下面全体及び周面を下方から覆うように止水通気性要素９が設けある。第２電極板３の下側に止水通気性要素９を設けることで、第２電極板３まで行きわたった被処理水が第２電極板３の下側に漏れることを防止する一方、第２電極板３で生成されたガスを下方に排気可能となっている。止水通気性要素９は、耐水性かつ通気性を備えた樹脂であるポリフロン（登録商標）を例示することができる。
【００２７】
止水通気性要素９の下方には多孔性底部１０が設けてあり、第２電極板３で生成されたガスは多孔性底部１０を通して排出される。あるいは、底部を孔無しに形成し、当該底部と前記止水兼通気性要素との間に排出路を形成してもよい。多孔性底部１０は円筒状の台座１００に支持されている。多孔性底部１０は円筒状の台座１００は一体係止してもよい。モータ６は、多孔性底部１０あるいは台座１００に対して支持させることができる。図面ではモータ支持手段は省略する。
【００２８】
図に示すように、回転軸５の下方側は、多孔性底部１０を挿通して下方に延びており、多孔性底部１０の下方にモータ６が配置されている。挿通部には、シャフトシール１１が設けてあり、回転軸５の回転を許容しつつ、挿通部から水分が下方に漏れることを防止している。
【００２９】
このように構成された回転式水素ガス発生装置において、収容部１に被処理水を収容して、モータ６によって第１電極板２を回転させながら、第１電極板２を陰極、第２電極板３を陽極とするように電圧を印加すると、第１電極板２が回転しながら水素を発生させて被処理水中に水素が供給される。第１電極板２が回転しながら水素を発生させることで、第１電極板２と第２電極板３との間に生成した気体が滞留して電界効率を低下させることを可及的に防止し、また、生成した水素をより短期間で被処理水と混合させることができる。第２電極板３から生成された酸素は、止水通気性要素９、多孔性底部１０を通して排出される。
【００３０】
［Ｂ］第２実施形態
図２を参照しつつ、本発明の第２実施形態について説明する。第１実施形態及び第２実施形態を通して、実質的に同じ要素には、同じ参照番号が付してある。第２の実施形態は、水素・酸素発生装置に係るものであり、本実施形態に係る水素・酸素発生装置は、全体を被処理水中に水没させるようにして用いられる。被処理水としては、動植物用の水槽等が例示される。なお、本実施形態に係る水素・酸素発生装置を用いてオゾンを生成することが可能であり、雨水貯蔵装置における殺菌等、循環型トイレにおける殺菌、脱臭等の用途に用いることができる。
【００３１】
水素・酸素発生装置は、上側の第１室１Ａと、下側の第２室１Ｂと、を備えている。上側の第１室１Ａは多孔性のケース１２からなり、内部に電極ユニットが設けてある。ケース１２の筒状の壁面には、複数の孔が周方向に亘って互いに間隔を存して形成されており、上側の孔１２０は主としてガス排出用の孔として機能し、下側の孔１２１は被処理水の吸水口として機能する。水素・酸素発生装置を被処理水中に水没させた状態で、上側の第１室１Ａには被処理水が供給されるが、第２室１Ｂは防水構造を備えており、内部には被処理水は浸水しないようになっている。孔１２０、１２１のサイズは、想定する動植物、昆虫が第１室１Ａの内部空間に侵入することを規制できる程度の大きさに設定される。なお、水素・酸素発生装置において、多孔性のケース１２によって形成された第１室１Ａは、用途に応じても用いられる任意要素であり、例えば、雨水貯蔵装置や循環型トイレに水素・酸素発生装置を設置する場合には、多孔性のケース１２は必ずしも必要ではない（設ける態様を排除するものではない）。
【００３２】
電極ユニットは、上側の第１電極板（回転電極）２と、下側の第２電極板（固定電極）２と、対向する第１電極板２と第２電極板３との間に電圧を印加する電圧印加手段と、を備えている。電圧印加手段は電源４と、第１電極用通電ライン及び第２電極用通電ラインと、を備えている。本実施形態では、電圧印加手段は、さらに、第１電極と第２電極の極性切換手段を備えている。電源４は太陽光発電を用いる。
【００３３】
第１電極板２、第２電極板３は、共に、略同じ面積を備えた多孔性の円板（第１実施形態と同様に、図４に示す第１電極板２、図５に示す第２電極板３を用いることができる）であるが、本発明に係る第１電極板２、第２電極板３の形状や構成は、このものに限定されない。例えば、第１電極板２の表面に１つあるいは複数の突起、隆起部、ひだ等、を形成してもよい。第１電極板２、第２電極板３は所定の導電性を備えていれば材質は限定されないが、例えば、金属材料としてはチタンやプラチナが例示される。
【００３４】
第１電極板２は垂直状に延びる回転軸５の上端側に固定されている。例えば、多孔性円板の中央に筒状部を一体形成し、回転軸５の上端側を筒状部に挿入して螺子等で固定する。回転軸５に対する第１電極板２の取付位置を可変とすることで、第１電極板２と第２電極板３との間隔を可変とすることができる。第２電極板３には回転軸５を回転自在に挿通させる挿通部を備えており、回転軸５は第２電極板３の挿通部を挿通して下方に延びており、さらに第２室１Ｂの上壁を挿通して第２室１Ｂ内部に延びている。挿通部には、水分の浸水を防止しつつ回転軸を回転自在に挿通させるシャフトシール１１が設けてある。第２室１Ｂの内部空間において、回転軸５の下端にはモータ６が接続されている。第１電極板２はモータ６によって回転可能となっている。モータ６の駆動電源は太陽光発電を用いる。第１電極用通電ライン、第２電極用通電ライン、モータ用通電ラインはシールされて第２室１Ｂの壁から外部に導出される。なお、第２電極板３は、例えば、図示しない支持手段によって、第２室１Ｂの上壁に支持されている。モータ６は、例えば、図示しない支持手段によって、第２室１Ｂのいずれかの壁面に対して支持させることができる。
【００３５】
回転軸５は導電性部材（例えば、導電性の金属）からなり、第２室の内部空間において、電源４からの第１電極用通電ラインの先端に形成したカーボンスプリング（図示せず）を回転軸５の周面に接触させることで回転する回転軸５に対して常時接触を維持するように構成し、回転軸５を介して第１電極板２に通電するようになっている。
【００３６】
回転軸５の上端側は、第１電極板２を越えてさらに上方に延びており、上端にはガス拡散用ファン１３が設けてある。モータ６によって回転軸５を回転させることで、第１電極板２、ガス拡散用ファンが回転するようになっている。第１室の壁の下端側には、１つあるいは複数の被処理水の吸入口が形成されている。なお、第１の実施形態の回転軸５にも同様にガス拡散用ファン１３を設けてもよい。
【００３７】
このように構成された回転式水素・酸素発生装置を被処理水中に水没させた状態で、太陽光電源から電極ユニット（第１電極板２、第２電極板３）、モータ６に通電が行われると、電極の極性に応じて、一方の電極板からは水素が、他方の電極板からは酸素が生成される。第１電極板２が回転しながらガスを発生させて被処理水中にガスが供給される。第１電極板２が回転しながらガスを発生させることで、第１電極板２と第２電極板３との間に生成した気体が滞留して電界効率を低下させることを可及的に防止し、また、回転電極２とガス拡散用ファン１３とが協働することで、生成したガスをより短期間で被処理水と混合させることができる。ガス拡散用ファン１３によって、第１室内１Ａの被処理水が多孔性ケース１２の壁体の孔１２０から外部に押し出されると共に、壁体の下方の孔１２１から新たに被処理水が第１室１Ａ内に供給される。
【００３８】
［Ｃ］第３実施形態
本発明に係る電界式ガス発生装置は、本出願人の一人が開発したエマルジョン燃料を用いた燃焼装置及び方法（ＷＯ２０１１／０３７０７７）の電気分解槽に適用することができる。  より具体的には、かかる燃焼装置は、燃料油を収容する油タンクと、水を収容する水タンクと、攪拌手段を備えた混合室と、油タンクから混合室へ油を供給する油供給路と、水タンクから混合室へ水を供給する水供給路と、水供給路に設けた電気分解槽と、混合室へのオゾン供給手段と、燃焼手段と、混合室から燃焼手段へ燃料を供給する燃料供給路と、を備え、前記電気分解槽において、前記水タンクから供給された水を電気分解して、水と、酸素及び水素の気泡と、の混合物が生成され、前記混合室において、燃料油と前記混合物を、オゾンを供給しながら攪拌・混合することでエマルジョン燃料が生成される。
【００３９】
図３に示すように、水素・酸素発生装置は、電気分解槽１４を備えており、電気分解槽１４には、被処理水の供給口１４０と、処理水と、酸素及び水素の気泡と、の混合物の排出口１４１と、を備えている。電気分解槽１４は供給口１４０を介して図示しない水タンクと連通されており、排出口１４１を介して図示しない混合室と連通されている。
【００４０】
電極ユニットは、第１電極板（回転電極）２と、第２電極板（固定電極）２と、対向する第１電極板２と第２電極板３との間に電圧を印加する電圧印加手段と、を備えている。第１電極板２、第２電極板３は、共に、多孔性の円板であるが、本発明に係る第１電極板２、第２電極板３の形状や構成は、このものに限定されない。第１電極板２、第２電極板３は所定の導電性を備えていれば材質は限定されないが、例えば、金属材料としてはチタンやプラチナが例示される。電圧印加手段は電源４と、第１電極用通電ライン及び第２電極用通電ラインと、を備えている。
【００４１】
本実施形態では、複数枚（図示の例では３枚）の第１電極板２、複数枚（図示の例では２枚）の第２電極板３を備えている。３枚の第１電極板２は垂直状に延びる回転軸５に長さ方向に間隔を存して互いに平行状に固定されている。回転軸５は、電気分解槽１４の上壁を挿通して上方に延びており、上端にはモータ６が接続されている。第１電極板２はモータ６によって回転可能となっている。
【００４２】
３枚の第１電極板２の間に位置し、第１電極板２に対向するように２枚の第２電極板３がそれぞれ設けてある。第２電極板３は支持体１５によって片持ち状に支持されている。第２電極板３には回転軸５を回転自在に挿通させる挿通部を備えており、回転軸５は第２電極板３の挿通部を挿通して延びている。
【００４３】
回転軸５は導電性部材（例えば、導電性の金属）からなり、電気分解槽１４の外側において、電源４からの第１電極用通電ラインの先端に形成した図示しないカーボンスプリング（例えば、図示しないカーボンケースに内装されている）を回転軸５の周面に接触させることで回転する回転軸５に対して常時接触を維持するように構成し、回転軸５を介して第１電極板２に通電するようになっている。
【００４４】
支持部材１５は導電性部材（例えば、導電性の金属）からなり、電気分解槽１４の外側において、電源４からの第２電極用通電ラインと電気的に接続されており、支持体１５を介して第２電極板３に通電するようになっている。
【００４５】
このように構成された回転式水素・酸素発生装置において、電気分解槽１４に供給口１４０から被処理水を供給し、電極ユニット（第１電極板２、第２電極板３）、モータ６に通電が行われると、第１電極板２が回転しながらガスを生成し、電極の極性に応じて、一方の電極板からは水素が、他方の電極板からは酸素が生成されることで、処理水と酸素及び水素の気泡との混合物が得られ、この混合物が排出口１４１から排出され、混合室へ送られる。
【符号の説明】
【００４６】
１  収容部
１Ａ  第１室
１Ｂ  第２室
２  第１電極板
２０  孔
３  第２電極板
３０  孔
４  電源
５  回転軸
６  モータ
７  気体封止通電性フィルム
８  多孔性押さえ板
９  止水通気性要素
１０  多孔性底部
１１  シャフトシール
１２  多孔性ケース
１２０  ガス排出用の孔
１２１  被処理水吸水用の孔
１３  ガス拡散用ファン
１４  電気分解槽
１５  支持部材１５
【図４】
2015157281.tif 000003
【図５】
2015157281.tif 000004
【図１】
2015157281.tif 000005
【図２】
2015157281.tif 000006
【図３】
2015157281.tif 000007